(57)【要約】高圧放電灯を動作するブリッジ回路において、追加的なスイッチング要素と、前記追加的なスイッチング要素を駆動する制御回路と、共振インダクタと、共振キャパシタとが組み込まれる。前記追加的な成分は全体として、比較的簡素な共振点火器を形成する。前記共振インダクタは、前記ブリッジ回路に含まれるフィルタの部分によって形成され得る。
2006513539.tif 000002
【特許請求の範囲】
【請求項１】
ＤＣ／ＡＣ変換器を備える、高圧放電灯を動作する回路配置であって、
−第１直流電圧を供給する供給電圧源への接続に関する入力端子と、
−前記入力端子間において結合された第１及び第２スイッチング要素の第１直列接続と、
−前記第１及び第２スイッチング要素の夫々の制御電極に結合され、前記第１及び第２スイッチング要素の伝導状態を制御する、第１制御回路と、
−前記スイッチング要素のうちの１つを分路すると共に第１誘導性要素及び電灯接続に関する端子を有する負荷回路と、
を備える回路配置において、当該回路配置が、更に、
−電灯接続に関する前記端子間において結合される共振容量性要素と、
−前記共振容量性要素と直列に結合される第２誘導性要素と、
−前記第２誘導性要素の端子及び前記入力端子の１つの間において結合される第３スイッチング要素と、
−前記第３スイッチング要素の制御電極に結合され、前記第３スイッチング要素を周波数ｆで交互に伝導性及び非伝導性にして、これにより前記共振容量性要素の両端に交流点火電圧を発生する第２制御回路と、
を備えることを特徴とする、回路配置。
【請求項２】
請求項１に記載の回路配置であって、前記回路配置が、更に、第２直流電圧を供給する補助電力供給部を備え、前記補助電力供給部の夫々の極が、前記第３スイッチング要素の夫々の主電極に結合されるような、回路配置。
【請求項３】
請求項１に記載の回路配置であって、前記第２誘導性要素が、前記第３スイッチング要素及び入力端子の間において結合される１次巻線と、電灯接続に関する前記端子に直列に結合される第２巻線と、を備えるトランスを有する、回路配置。
【請求項４】
請求項１に記載の回路配置であって、前記第２誘導性要素の一部分が、当該回路配置に含まれるフィルタの一部分である、回路配置。
【請求項５】
請求項１に記載の回路配置であって、前記第１及び第２スイッチング要素が、ダイオードを有する、又はダイオードによって各々分路されるかのどちらか一方であって、前記ＤＣ／ＡＣ変換器が、ハーフブリッジ回路を有し、前記第１制御回路が、前記回路配置を交互に低周波数で第１及び第２動作状態に動作する手段を備え、前記第１動作状態において、前記第１スイッチング要素が、高周波数で伝導状態及び非伝導状態にされる一方で、前記第２スイッチング要素が、非伝導状態に維持され、前記第２動作状態において、前記第２スイッチング要素が、高周波数で伝導状態及び非伝導状態にされる一方で、前記第１スイッチング要素が、非伝導状態に維持されるような、回路配置。
【請求項６】
請求項１に記載の回路配置であって、前記ＤＣ／ＡＣ変換器が、前記入力端子間において結合される第４及び第５スイッチング要素の第２直列接続を備えるフルブリッジ回路を有し、前記第４及び第５スイッチング要素の制御電極に結合される前記第１制御回路に含まれ、前記第４及び第５スイッチング要素の伝導状態を制御する手段を備え、前記第１制御回路が、前記回路配置を交互に低周波数で第１又は第２動作状態で動作する手段を備え、前記第１動作状態において、前記直列接続の各々における前記スイッチング要素の１つが、非伝導性に維持される一方で、前記２つの残りのスイッチング回路のうち、１つが伝導性に維持され、もう１つが高周波数で伝導性及び非伝導性にされ、前記第２動作状態において、前記第１状態において非伝導性であった前記スイッチング要素の１つが、伝導性に維持される一方で、もう１つが高周波数で伝導性及び非伝導性にされ、残りの２つのスイッチング要素が、非伝導性に維持され、前記動作状態の１つにおいて高周波数で動作されるスイッチング要素と直列である前記スイッチング要素が、ダイオードを有する、又はダイオードによって各々分路される、回路配置。
【請求項７】
請求項１に記載の回路配置であって、前記交流点火電圧の周波数が、ｆに等しい、回路配置。
【請求項８】
請求項１に記載の回路配置であって、前記交流点火電圧の周波数がｎ×ｆであり、ｎが２以上の自然数である、回路配置。
【請求項９】
請求項１に記載の回路配置であって、前記交流点火電圧の振幅が一定である、回路配置。
【請求項１０】
請求項１に記載の回路配置であって、前記交流点火電圧の振幅が最大値を有し、常に前記最大値の半分の値より大きい、回路配置。
【請求項１１】
請求項１に記載の回路配置であって、前記第２制御回路が、前記高圧放電灯の引継ぎ段階の終了を検出する手段を好ましくは備える、回路配置。
【請求項１２】
請求項１１に記載の回路配置であって、前記高圧放電灯の前記引継ぎの終了を検出する手段が、前記電灯電圧が既定時間間隔において既定値より高かったかを決定する手段を有する、回路配置。
【発明の詳細な説明】
【技術分野】
【０００１】
本発明は、ＤＣ／ＡＣ変換器を具備し、
−第１直流電圧を供給する供給電圧源への接続に関する入力端子と、
−前記入力端子間において結合される第１及び第２スイッチング要素の第１直列接続と、
−前記第１及び第２スイッチング要素の夫々の制御電極に結合され、前記第１及び第２スイッチング要素の伝導状態を制御する第１制御回路と、
−前記スイッチング要素の１つを分路（ｓｈｕｎｔ）すると共に第１誘導性要素及び電灯接続に関する端子を有する負荷回路と、
を有する、高圧放電灯を動作する回路配置に関する。
【背景技術】
【０００２】
斯様な回路配置は、周知である。このＤＣ／ＡＣ変換器は、ブリッジ型である。電灯の定常動作時において、スイッチング要素は、生じる電灯電流が、低周波数であり実質的に方形波交流電流であるような態様で、制御される。斯様な電流形状は、効率的で信頼性のある電灯の動作を可能にすることが分かっている。周知の回路は、多くの場合、パルス点火器を備える。連続パルス間の時間間隔は、通常長いので、電灯は、単一パルスの影響下で点火する必要がある。というのも、点火パルスによって発生される電灯における電荷キャリアが、次の点火パルスが発生される時間までに消滅しているからである。電灯は、単一点火パルスにおいて点火する必要があるので、このパルスの振幅及び幅は、比較的高くなければならない。その結果として、パルス点火器を構成する成分は、大きく高価である。電灯を点火する代わりの可能性は、電灯と並列に共振キャパシタを配置し、第１及び第２スイッチング要素を高周波数で交互に伝導性及び非伝導性にし（ｒｅｎｄｅｒ）、それによって、電灯の両端間に比較的高い振幅で交流電圧を発生することである。しかし、電灯の両端間に掛かる電圧が十分に高い振幅を有するためには、ブリッジスイッチが、ＤＣ／ＡＣ変換器の負荷回路の共振周波数に近い周波数で動作される必要がある。更に、このことは、第１制御回路が、容量性動作に対しての保護を実現する追加的な電気回路構成を有することが必要とする。その結果として、第１制御回路は、非常に複雑になる。
【発明の開示】
【発明が解決しようとする課題】
【０００３】
本発明の目的は、効果的な電灯の点火を保証すると共に比較的簡素で小型である電灯を点火する手段を有する、高圧放電灯を動作する回路配置を提供することである。
【課題を解決するための手段】
【０００４】
この目的のために、冒頭の段落において述べられたような回路配置は、本発明に従い、当該回路配置が、更に、
−電灯接続に関する端子間に結合された共振容量性要素と、
−前記共振容量性要素と直列に結合された第２誘導性要素と、
−前記第２誘導性要素と前記入力端子の１つとの間に結合される第３スイッチング要素と、
−前記第３スイッチング要素の制御電極に結合され、前記第３スイッチング要素を周波数ｆで交互に伝導性及び非伝導性にし、これにより前記共振容量性要素の両端に交流点火電圧を発生する、第２制御回路と、
を備えることを特徴とする。
【０００５】
共振キャパシタ、第２誘導性要素、第３スイッチング要素及び第２制御回路は全体として、個別の共振点火器を形成する。電灯点火は、このセパレート共振点火器を使用する、信頼性のある効果的な態様で実現され得ることが分かっている。更に、第２制御回路に含まれる制御電気回路構成は、比較的簡素であり得る。
【０００６】
回路配置が、第２直流電圧を供給する補助電力供給部を更に備え、前記補助電力供給部の各極が、第３スイッチング要素の夫々の主電極に結合される、本発明に従う回路配置の実施例に関して、良好な結果が得られる。
【０００７】
また第２誘導性要素が、第３スイッチング要素及び入力端子の間において結合される１次巻線と、電灯接続に関する端子と直列に結合される２次巻線とを備えるトランスを有する、本発明に従う回路配置の実施例に関しても、良好な結果が得られる。
【０００８】
第２誘導性要素の一部分が、回路配置に含まれるフィルタの一部分である、本発明に従う回路配置の実施例において、第２誘導性要素の非常に効果的な使用が得られる。
【０００９】
本発明に従う回路配置の第１の好ましい実施例において、第１及び第２スイッチング要素は、ダイオードを有する、又は各々ダイオードによって分路されるかの一方であり、ＤＣ／ＡＣ変換器は、ハーフブリッジ回路を有し、第１制御回路は、回路配置を低周波数で交互に第１及び第２動作状態で動作する手段を備え、第１動作状態において、第２スイッチング要素が非伝導性に維持される一方で、第１スイッチング要素は、高周波数で伝導性及び非伝導性にされ、第２動作状態において、第１スイッチング要素が非伝導性に維持される一方で、第２スイッチング要素は、高周波数で伝導性及び非伝導性にされる。第１及び第２動作状態は、通常「整流フォワード（ｃｏｍｍｕｔａｔｉｎｇ  ｆｏｒｗａｒｄ）動作」と呼ばれる回路配置の動作のモードに対応する。整流フォワード動作は、定常電灯動作において電灯電流の効果的な制御を可能にする。
【００１０】
第２の好ましい実施例において、ＤＣ／ＡＣ変換器は、入力端子間において結合された第４及び第５スイッチング要素の第２直列接続を備えるフルブリッジ回路と、第４及び第５スイッチング要素の制御電極に結合される第１制御回路に含まれる、第４及び第５スイッチング要素の伝導状態を制御する手段とを有し、第１制御回路が、該回路配置を低周波数で交互に第１又は第２動作状態で動作する手段を備え、第１動作状態において、直列接続の各々におけるスイッチング要素の１つは、非伝導性に維持される一方で、２つの残るスイッチング要素のうち、１つは伝導性に維持され、残りの１つは高周波数で伝導性及び非伝導性にされ、第２動作状態において、第１状態において非伝導性であったスイッチング要素の１つは、伝導性に維持される一方で、残りの１つは高周波数で伝導性及び非伝導性にされ、他の２つのスイッチング要素は、非伝導性に維持され、ここで、動作状態のうちの１つにおいて高周波数で動作されるスイッチング要素と直列であるスイッチング要素は、ダイオードを有する又はダイオードによって各々分路されるのどちらか一方である。また、この第２の好ましい実施例においても、該回路配置は、第１及び第２動作状態において、整流フォワードモードで動作される。
【００１１】
第３スイッチング要素が点火電圧の各々の期間において伝導性になる場合、交流点火電圧の周波数は、第２制御信号の周波数ｆに等しい。この場合、交流点火電圧の振幅は、比較的高く、且つ一定である。代わりに、第３スイッチング要素は、ｎが２以上の自然数であるような、点火電圧のｎ期間毎に１度のみ伝導性にされ得る。この後者の場合、交流点火電圧の平均振幅は、より低く、交流点火電圧の周波数は、ｎ×ｆである。第３スイッチング要素が伝導性にされていない交流点火電圧の期間において、交流点火電圧の振幅は、指数的に減少する。交流点火電圧の振幅が常にこの交流点火電圧の最大値の半分より大きくなるように、第２制御信号の振幅が選択される場合、良好な結果が得られることが分かっている。
【００１２】
高圧放電灯が点火された後、電灯における放電が安定している間に、短い時間間隔が続く。この短い時間間隔は、電灯の「引継ぎ（ｔａｋｅ  ｏｖｅｒ）」又は「引継ぎ段階（ｔａｋｅ  ｏｖｅｒ  ｐｈａｓｅ）」と通常呼ばれる。引継ぎにおいて、電灯電圧は、多くの場合、高い値と低い値との間においてランダムに変化する。この理由に関して、該回路配置は、回路配置が比較的高いオープン回路電圧を有するように、数値設定される（ｄｉｍｅｎｓｉｏｎｅｄ）必要がある。しかし、第２制御回路が、電灯の点火の後に第３スイッチング要素を伝導性及び非伝導性にし続ける場合、回路配置が高オープン回路電圧を発生するように数値設定されていなかった場合においても、引継ぎにおいて、良好な引継ぎ挙動（ｂｅｈａｖｉｏｒ）が実現され得ることが分かっている。良好な引継ぎ挙動が意味することは、電灯が、引継ぎ及び準備（ｒｕｎ−ｕｐ）段階を介して定常動作へ進展するようにするために、点火後に、電灯は消灯しないが、放電が大部分の点火試みにおいて保たれることである。斯様な良好な引継ぎ挙動を実現するために、第２制御回路は、引継ぎ段階の終了を検出する手段を好ましくは備える。引継ぎ段階に続く準備段階の第１部分において、電灯電圧は、低く、比較的安定である。このために、例えば、引継ぎ段階の終了を検出する手段は、電灯電圧が既定時間間隔における既定値よりも高かったかを決定する手段を有し得る。既定値よりも高い電灯電圧が既定時間間隔において検出されない場合、引継ぎ段階が過ぎており、電灯が準備段階にあるので、第２制御回路は、スイッチオフする。
【００１３】
本発明の実施例は、図面を参照にして説明される。
【発明を実施するための最良の形態】
【００１４】
図１において、Ｋ１及びＫ２は、第１直流電圧を供給する供給電圧源への接続に関する入力端子である。入力端子Ｋ１及びＫ２は、第１スイッチング要素Ｔ１及び第２スイッチング要素Ｔ２の直列接続を用いて接続される。第１スイッチング要素Ｔ１は、ダイオードＤ１によって分路され、第２スイッチング要素Ｔ２は、ダイオードＤ２によって分路される。スイッチング要素が例えばＭＯＳＦＥＴである場合、これらスイッチング要素は、内部ダイオードを有するので、スイッチング要素を分路する外部ダイオードが省かれ得ることを特記される。回路部ＣＣ１は、第１スイッチング要素Ｔ１及び第２スイッチング要素Ｔ２の伝導状態を制御する第１制御回路を形成する。回路部ＣＣ１の夫々の出力端子は、第１スイッチング要素Ｔ１の制御電極及び第２スイッチング要素Ｔ２の制御電極に接続される。また入力端子Ｋ１及びＫ２は、キャパシタＣｒ１及びＣｒ２の直列接続によって、並びにキャパシタＣｓ１及びＣｓ２の直列接続によって接続される。第１スイッチング要素Ｔ１及び第２スイッチング要素Ｔ２の共通端子は、インダクタＬ１を用いて、キャパシタＣｒ１及びＣｒ２の共通端子に接続される。図１に示される実施例において、インダクタＬ１は、第１誘導性要素を形成する。キャパシタＣｒ１及びＣｒ２の共通端子は、電灯接続端子Ｋ３、高圧放電灯Ｌａ、電灯接続端子Ｋ４及びインダクタＬ２の直列接続を用いてキャパシタＣｓ１及びＣｓ２の共通端子に接続される。電灯接続端子Ｋ３及びＫ４は、キャパシタＣｒｅｓを用いて接続される。図１に示される実施例において、電灯接続端子Ｋ３及びＫ４、キャパシタＣｒｅｓ及びＣｓ２並びにインダクタＬ１及びＬ２は全体として、第２スイッチング要素Ｔ２を分路する負荷回路を形成する。インダクタＬ２及びキャパシタＣｒｅｓは、第２誘導性要素及び共振容量性要素を夫々形成する。またインダクタＬ２は、キャパシタＣｒ１及びＣｒ２と一緒になり、フィルタを形成する。インダクタＬ２は、単巻変圧器（ａｕｔｏｔｒａｎｓｆｏｒｍｅｒ）であり、インダクタＬ２の第１端にあり電灯接続端子Ｋ４に接続される第１端子Ｋ５、インダクタＬ２の第２端にありキャパシタＣｓ１及びＣｓ２の共通端子に接続される第２端子Ｋ６、及び第１端子Ｋ５と第２端子Ｋ６との間に位置する第３端子Ｋ７を備える。第３スイッチング端子Ｔ３は、インダクタＬ２の第３端子Ｋ７と入力端子Ｋ２との間に結合される。回路部ＣＣ２は、第３スイッチング要素Ｔ３を周波数ｆで交互に伝導性及び非伝導性にし、これによりキャパシタＣｒｅｓの両端に交流点火電圧を発生する、第２制御回路である。回路部ＣＣ２の出力端子は、第３スイッチング要素Ｔ３の制御電極に結合される。回路部ＣＣ２の入力端子は、電灯Ｌａに結合される。図１において、これら結合の両方は、破線用いて示される。回路部ＡＰＳは、第２直流電圧を供給する補助電力供給部である。回路部ＡＰＳは、キャパシタＣｓ２を分路する。
【００１５】
図１に示される回路配置の動作は、以下の通りである。
【００１６】
高圧放電灯Ｌａがまだ点火されていない場合、回路部ＣＣ２は、第３スイッチング要素Ｔ３を、周波数ｆで交互に伝導性及び非伝導性にさせる。その結果として、補助電力供給部ＡＰＳは、交流電流をインダクタＬ２及びキャパシタＣｒｅｓを介して流れさせ、交流点火電圧をキャパシタＣｒｅｓの両端に存在するように引き起こす。この交流点火電圧が比較的短い時間経過において維持される場合、高圧放電灯は、この電圧により点火され得る。電灯の点火の後に、回路部ＣＣ２は、電灯Ｌａに流れる周波数ｆの電流が発生するために、第３スイッチング要素を周波数ｆで伝導性及び非伝導性にし続ける。加えて、回路部ＣＣ１は、回路配置の動作を低周波数で交互に第１及び第２動作状態で制御し、第１動作状態において、第１スイッチング要素Ｔ１が、高周波数で伝導性及び非伝導性にされる一方で、第２スイッチング要素は非伝導状態に維持され、第２動作状態において、第２スイッチング要素Ｔ２が、高周波数で伝導性及び非伝導性にされる一方で、第１スイッチング要素は、非伝導状態に維持される。この動作は、整流フォワードと通常呼ばれ、この動作の結果として、低周波数であり実質的に長方形の電灯電流が発生される。インダクタＬ２並びにキャパシタＣｒ１及びＣｒ２によって形成されるフィルタは、電灯電流に含まれる高周波数リップルによって発生される干渉を抑制する。第２制御回路ＣＣ２は、電灯Ｌａの両端の電灯電圧が既定時間間隔において既定値より高かったかを検出する電気回路構成を有する。電灯電圧が、既定時間間隔において既定値よりも高くなかったことが検出される場合、第２制御回路は、第３スイッチング要素Ｔ３を非伝導状態に維持する。電灯Ｌａは、準備段階にあり、電灯Ｌａは、第１制御回路ＣＣ１並びに第１及び第２スイッチング要素Ｔ１及びＴ２によって発生される低周波数であり実質的に長方形の電流のみを供給される。
【００１７】
図２において、図１の回路配置において対応する回路部及び成分と同一の機能を満たす回路部及び成分は、同一の符号で記される。
【００１８】
Ｋ１及びＫ２は、第１直流電圧を供給する供給電圧源への接続に関する入力端子である。入力端子Ｋ１及びＫ２は、第１スイッチング要素Ｔ１及び第２スイッチング要素Ｔ２の直列接続を用いて接続される。第１スイッチング要素Ｔ１は、ダイオードＤ１によって分路され、第２スイッチング要素Ｔ２は、ダイオードＤ２によって分路される。回路部ＣＣ１は、第１スイッチング要素Ｔ１及び第２スイッチング要素Ｔ２の伝導状態を制御する第１制御回路を形成する。回路部ＣＣ１の夫々の出力端子は、第１スイッチング要素Ｔ１の制御電極及び第２スイッチング要素Ｔ２の制御電極に接続される。また入力端子Ｋ１及びＫ２は、キャパシタＣｒ１及びＣｒ２の直列接続、キャパシタＣｒ３及びＣｒ４の直列接続、並びに第４スイッチング要素Ｔ４及び第５スイッチング要素Ｔ５の直列接続によって接続される。第４スイッチング要素Ｔ４は、ダイオードＤ３によって分路され、第５スイッチング要素Ｔ５は、ダイオードＤ４によって分路される。回路部ＣＣ１の夫々の出力端子は、第４スイッチング要素Ｔ４及び第５スイッチング要素Ｔ５の制御電極に接続される。第１スイッチング要素Ｔ１及び第２スイッチング要素Ｔ２の共通端子は、インダクタＬ１を用いて、キャパシタＣｒ１及びＣｒ２の共通端子に接続される。図２に示される実施例において、インダクタＬ１は、第１誘導性要素を形成する。キャパシタＣｒ１及びＣｒ２の共通端子は、電灯接続端子Ｋ３、高圧放電灯Ｌａ、電灯接続端子Ｋ４及びトランスＬ２の２次巻線Ｌｓの直列接続を用いて、キャパシタＣｒ３及びＣｒ４の共通端子と第４スイッチング要素Ｔ４及び第５スイッチング要素Ｔ５の共通端子とに接続される。トランスＬ２は、第２誘導性要素を形成し、２次巻線Ｌｓに加えて１次巻線Ｌｐを有する。電灯接続端子Ｋ３及びＫ４は、キャパシタＣｒｅｓを用いて接続される。図２に示される実施例において、電灯接続端子Ｋ３及びＫ４、キャパシタＣｒｅｓ、インダクタＬ１及びＬ２並びに第５スイッチング要素Ｔ５は全体として、第２スイッチング要素Ｔ２を分路する負荷回路を形成する。インダクタＬ２及びキャパシタＣｒｅｓは、第２誘導性要素及び共振容量性要素を夫々形成する。インダクタＬ１は、該回路配置の定常動作においてバラストチョークを形成するが、キャパシタＣｒ１及びＣｒ２と一緒になりフィルタも形成する。同様に、２次巻線Ｌｓ並びにキャパシタＣｒ３及びＣｒ４も、フィルタを形成する。また入力端子Ｋ１及びＫ２は、１次巻線Ｌｐ及び第３スイッチング要素Ｔ３の直列接続を用いて接続される。回路部ＣＣ２は、第３スイッチング要素Ｔ３を周波数ｆで交互に伝導性及び非伝導性にし、これによりキャパシタＣｒｅｓの両端に交流点火電圧を発生する第２制御回路である。回路部ＣＣ２の出力端子は、第３スイッチング要素Ｔ３の制御電極に結合される。回路部ＣＣ２の入力端子は、電灯Ｌａに結合される。図２において、これら結合の両方は、破線用いて示される。
【００１９】
図２に示される回路配置の動作は、以下の通りである。入力端子Ｋ１及びＫ２が第１直流電圧を供給する供給電圧源に接続され、高圧放電灯Ｌａがまだ点火されていない場合、回路部ＣＣ２は、第３スイッチング要素Ｔ３を、周波数ｆで交互に伝導性及び非伝導性にさせる。その結果として、交流電流が、２次巻線Ｌｓ及びキャパシタＣｒｅｓを介して流され、交流点火電圧が、キャパシタＣｒｅｓの両端に存在する。この交流点火電圧が比較的短い時間経過において維持される場合、高圧放電灯は、この電圧により点火され得る。電灯の点火の後に、周波数ｆで流れる電流が電灯Ｌａに発生させられるために、回路部ＣＣ２は、第３スイッチング要素を周波数ｆで伝導性及び非伝導性にし続ける。加えて、回路部ＣＣ１は、回路配置の動作を低周波数で交互に第１又は第２動作状態で制御し、第１動作状態において、第２スイッチング要素Ｔ２及び第４スイッチング要素Ｔ４が、非伝導状態に維持される一方で、第５スイッチング要素Ｔ５は、伝導性に維持され、第１スイッチング要素Ｔ１は、高周波数で伝導性及び非伝導性にされ、第２動作状態において、第１スイッチング要素Ｔ１及び第５スイッチング要素Ｔ５が、非伝導状態に維持される一方で、第４スイッチング要素Ｔ４は、伝導性に維持され、第２スイッチング要素Ｔ２は、高周波数で伝導性及び非伝導性にされる。この動作は、「整流フォワード」と通常呼ばれ、この動作の結果として、低周波数であり実質的に長方形の電灯電流が発生される。またインダクタＬ２の２次巻線Ｌｓ並びにキャパシタＣｒ３及びＣｒ４によって形成されるフィルタは、電灯電流に含まれる高周波数リップルによって発生される干渉を抑制する。第２制御回路ＣＣ２は、電灯Ｌａの両端の電灯電圧が既定時間間隔において既定値より高かったかを検出する電気回路構成を有する。電灯電圧が、既定時間間隔において既定値よりも高くなかったことが検出される場合、第２制御回路は、第３スイッチング要素Ｔ３を非伝導状態に維持する。電灯Ｌａは、準備段階にあり、電灯Ｌａは、第１制御回路ＣＣ１並びに第１、第２、第４及び第５スイッチング要素Ｔ１、Ｔ２、Ｔ４及びＴ５によって発生される、低周波数であり実質的に長方形の電流のみを供給される。
【００２０】
図１に示される回路配置又は図２に示される回路配置において発生される交流点火電圧は、インダクタＬ２及びキャパシタＣｒｅｓの共振周波数に略等しい周波数を通常有する。回路配置は、インダクタＬ２及びキャパシタＣｒｅｓの共振周波数が、第２制御回路（回路部ＣＣ２）によって発生される制御信号の周波数ｆの倍数であるように設計される。第３スイッチング要素が交流点火電圧の各々の期間の一部分において伝導性にされる場合、交流点火電圧の振幅は、一定であり、且つ比較的高い。第３スイッチング要素Ｔ３が、ｎが２以上の自然数であるような、点火電圧のｎ期間毎に１度のみ伝導性にされる場合、交流点火電圧の平均振幅は、より低く、交流点火電圧の周波数は、ｎ×ｆである。第３スイッチング要素が伝導性にされていない交流点火電圧の期間において、交流点火電圧の振幅は、指数的に減少する。この後者の場合、交流点火電圧の平均振幅は、特定の高圧放電灯によって必要とされる値に一致するように、選択され得る。
【図面の簡単な説明】
【００２１】
【図１】図１は、電灯が接続される、本発明に従う回路配置の第１実施例を示す。
【図２】図２は、電灯が接続される、本発明に従う回路配置の第２実施例を示す。
【図１】
2006513539.tif 000003
【図２】
2006513539.tif 000004
【国際調査報告】
2006513539.tif 000005
2006513539.tif 000006
2006513539.tif 000007